(57)【特許請求の範囲】
【請求項１】
中央部に原稿画像が記録された画像領域が設けられ、該画像領域の周縁に画像領域内の画像の中心に対して予め定められた位置に画像の中心位置を特定可能な形状で複数の指標が形成された所定幅の黒化領域と、前記黒化領域の周縁側に透明領域が形成された矩形形状の原稿フィルムを定盤上に位置決めする原稿フィルムの位置決め方法であって、前記黒化領域と前記透明領域との境界を検出して、該境界が前記定盤上の所定の範囲内に位置するように前記原稿フィルムを移動させた後、前記複数の指標を検出して、この検出結果に基づいて前記原稿フィルムを前記定盤上に位置決めすることを特徴とする原稿フィルムの位置決め方法。
【請求項２】
中央部に原稿画像が記録された画像領域が設けられ、該画像領域の周縁に画像領域内の画像の中心に対して予め定められた位置に画像の中心位置を特定可能な形状で複数の指標が形成された所定幅の黒化領域と、前記黒化領域の周縁側に透明領域が形成された矩形形状の原稿フィルムを定盤上に位置決めする原稿フィルムの位置決め装置であって、
前記定盤に載置された前記原稿フィルムの前記黒化領域と前記透明領域の境界を検出する第１の検出手段と、
前記定盤上の前記原稿フィルムに形成されている前記指標の位置を検出する第２の検出手段と、
前記定盤上に載置された前記原稿フィルムを定盤に対して相対移動させる原稿移動手段と、
前記定盤上に載置されている前記原稿フィルムを前記第１の検出手段の検出結果に応じて前記原稿移動手段を作動させて、前記原稿フィルムの黒化領域と透明領域を所定の範囲内に配置した後、前記第２の検出手段の検出結果に応じて前記原稿移動手段を作動させて前記原稿フィルムの画像領域を定盤上の所定の位置へ配置する制御手段と、
を含むことを特徴とする原稿フィルムの位置決め装置。
【請求項３】
前記定盤がそれぞれに前記原稿フィルムを保持可能な固定定盤と移動定盤を備え、前記移動手段が前記原稿フィルムを保持した前記移動定盤を前記固定定盤に対して相対移動させることにより前記固定定盤に対して原稿フィルムを位置決めすることを特徴とする請求項２に記載の原稿フィルムの位置決め装置。
【請求項４】
前記原稿移動手段が、前記移動定盤を互いに直交する方向の一方向に沿って移動する第１の移動手段と、前記第１の移動手段の移動方向に沿った異なる２点でそれぞれ第１の移動方向と直交する方向に沿って前記移動定盤を移動する第２及び第３の移動手段と、備え、前記制御手段が前記第１の検出手段の検出結果に基づいて前記原稿フィルムを移動するときに、前記第１の移動手段の移動方向に沿った異なる２点を中心に原稿フィルムが順に異なる方向へ回動するように前記第２及び第３の移動手段を制御することを特徴とする請求項３に記載の原稿フィルムの位置決め装置。
【発明の詳細な説明】
【０００１】
【発明の属する技術分野】
本発明は、感光性平版印刷版に原稿フィルムを密着させて原稿フィルムに記録された画像を感光性平版印刷版へ焼付けるときに、感光性平版印刷版に対して原稿フィルムを位置決めするときに用いるパンチ孔を穿設するときの原稿フィルムの位置決め方法及び原稿フィルムの位置決め装置に関する。
【０００２】
【従来の技術】
新聞印刷等に用いられる感光性平版印刷版（以下「ＰＳ版」と言う）は、焼付装置によって原稿フィルムに記録されている画像が焼付けられる。焼付装置では、ＰＳ版に対して原稿フィルムを位置決めするために、原稿フィルム上の画像に対して一定の位置に複数（例えば３か所）のパンチ孔を穿設し、焼付部でこの原稿フィルムのパンチ孔にピンを挿入して、原稿フィルムを焼付用の定盤に対して位置決めすることにより、この焼付用定盤に別に位置決めされたＰＳ版に対して原稿フィルムを位置決めするようにしている。特にカラー印刷（多色刷り）を行う場合、それぞれのＰＳ版の一定の位置に画像が焼付けられていないと、印刷物に色ずれとなって現れてしまうため、パンチ孔は、何れの原稿フィルムにおいても画像領域に対して一定の位置に穿設される必要がある。
【０００３】
図３に示されるように、原稿フィルム（例えばネガ形の画像が記録されたフィルム、以下「ネガフィルム１６」とする）には、画像領域４０に対して定められた位置に複数の指標（以下「トンボ」と言う）４２Ａ、４２Ｂ、４２Ｃが記録されている。また、この画像領域４０の周縁部には、一定の幅で黒化領域４４が形成されている。この黒化領域４４は、プロッター等によってネガフィルム１６に画像領域４０と共に形成され、ネガフィルム１６は、黒化領域４４の周縁側が透明な領域（以下「透明領域４６」と言う）となっており、画像領域４０は、ネガフィルム１６の黒化領域４４内の一定の位置に設けられている。
【０００４】
このようなプロッタによって形成される黒化領域４４には、ネガフィルム１６の画像領域４０に記録している画像に関する種々の情報がバーコード化されて記録される。また、この黒化領域４４には、前記したトンボ４２Ａ〜４２Ｃが透明なラインとしてプロッタによって形成されている。これらのトンボ４２Ａ〜４２Ｃは、ネガフィルム１６の画像領域の基準位置（中心）に対して予め定められた一定の位置、すなわち、黒化領域４４の所定の位置に形成されている。
【０００５】
印刷版焼付装置では、パンチ用の定盤上にネガフィルム１６を配置して、パンチ用定盤に設けているスキャナ等のトンボ測定ユニットによってスキャンしてネガフィルム１６のトンボ４２Ａ〜４２Ｃのそれぞれの位置を検出し、ネガフィルム１６の一定の位置に複数のパンチ孔４８Ａ、４２Ｂを穿設するようにしている。
【０００６】
ところで、ネガフィルムは、必ずしも一定のサイズで切断されているとは限らず、ネガフィルムの周縁を基準としてパンチ用定盤に配置したときに、トンボの位置が大きく狂うことがある。トンボの位置がパン用定盤に対して大きく狂うと、トンボ測定ユニットの測定範囲からネガフィルム上のトンボが外れてしまうことがある。これを防止するためには、トンボ測定ユニットの測定範囲を大きくすると共に、それぞれのトンボを長くしたり、長くしたトンボの長さに合わせて黒化領域を広げる必要がある。また、トンボ測定ユニットによる測定範囲を広げる必要もある。トンボ測定ユニットによる測定範囲を大きくするためには、例えばトンボ測定ユニットのスキャン長の２倍の範囲以内をトンボ以外のバーコード等や画像、透明領域がかからない黒化部分としなければならない。
【０００７】
【発明が解決しようとする課題】
しかしながら、それぞれのトンボを長くするにしても黒化領域内に収めなければならないため、限界が生じる。また、原稿フィルムに画像を形成するためのプロッタ等の制約からトンボやその周囲の黒化部分を広げられないことがある。
【０００８】
本発明は、上記事実を考慮してなされたものであり、トンボを長くしたりトンボを検出するためのトンボ測定ユニットの測定範囲を広げることなく、定盤上に配置する原稿フィルムのトンボの位置が狂っても、原稿フィルムの画像領域を定盤上の一定の位置に正確に位置決めするための原稿フィルムの位置決め方法及び原稿フィルムの位置決め装置を提案することを目的とする。
【０００９】
【課題を解決するための手段】
請求項１に記載の発明は、中央部に原稿画像が記録された画像領域が設けられ、該画像領域の周縁に画像領域内の画像の中心に対して予め定められた位置に画像の中心位置を特定可能な形状で複数の指標が形成された所定幅の黒化領域と、前記黒化領域の周縁側に透明領域が形成された矩形形状の原稿フィルムを定盤上に位置決めする原稿フィルムの位置決め方法であって、前記黒化領域と前記透明領域との境界を検出して、該境界が前記定盤上の所定の範囲内に位置するように前記原稿フィルムを移動させた後、前記複数の指標を検出して、この検出結果に基づいて前記原稿フィルムを前記定盤上に位置決めすることを特徴とする。
【００１０】
この発明によれば、指標を用いた原稿フィルムの位置決めに先立って、原稿フィルムの所定の位置に形成されている黒化領域と透明領域との境界が所定の位置に配置されているかを判断する。この境界が、定盤上の所定の位置にないときには、この境界が所定の位置となるように原稿フィルムを移動させ（仮位置決め）てから、原稿フィルムの正確な位置決め（本位置決め）を行う。
【００１１】
原稿フィルム上の指標の検出が容易となる。また、原稿フィルムの位置が大きくズレた状態を考慮して、定盤上の指標の検出範囲を広げたり、予め原稿フィルムに大きく指標を記録する必要がなくなる。
【００１２】
請求項２に記載の発明は、中央部に原稿画像が記録された画像領域が設けられ、該画像領域の周縁に画像領域内の画像の中心に対して予め定められた位置に画像の中心位置を特定可能な形状で複数の指標が形成された所定幅の黒化領域と、前記黒化領域の周縁側に透明領域が形成された矩形形状の原稿フィルムを定盤上に位置決めする原稿フィルムの位置決め装置であって、前記定盤に載置された前記原稿フィルムの前記黒化領域と前記透明領域の境界を検出する第１の検出手段と、前記定盤上の前記原稿フィルムに形成されている前記指標の位置を検出する第２の検出手段と、前記定盤上に載置された前記原稿フィルムを定盤に対して相対移動させる原稿移動手段と、前記定盤上に載置されている前記原稿フィルムを前記第１の検出手段の検出結果に応じて前記原稿移動手段を作動させて、前記原稿フィルムの黒化領域と透明領域を所定の範囲内に配置した後、前記第２の検出手段の検出結果に応じて前記原稿移動手段を作動させて前記原稿フィルムの画像領域を定盤上の所定の位置へ配置する制御手段と、を含むことを特徴としている。
【００１３】
この発明では、定盤上に載置した原稿フィルムの所定の位置に形成されている黒化領域と透明領域を第１の検出手段によって検出して、先ず、原稿フィルムの定盤上への大凡の位置調整を行う。この後、第２の検出手段によって指標を検出して、原稿フィルムの位置を正確に調整して位置決めを行う。
【００１４】
このように、原稿フィルムを段階的に移動させて、定盤上へ位置決めするので、定盤上に載置された原稿フィルムの指標の位置が第２の検出手段の検出領域を外れていても、正確に原稿フィルムの画像領域を定盤上へ位置決めすることができる。
【００１５】
請求項３の発明は、請求項２に記載の原稿フィルムの位置決め装置であって、前記定盤がそれぞれに前記原稿フィルムを保持可能な固定定盤と移動定盤を備え、前記移動手段が前記原稿フィルムを保持した前記移動定盤を前記固定定盤に対して相対移動させることにより前記固定定盤に対して原稿フィルムを位置決めすることを特徴とする。
【００１６】
この発明では、定盤を固定定盤と移動定盤に分割して、移動手段が移動定盤を水平方向及び回転方向へ移動させるようによっている。これによって、定盤上の原稿フィルムを任意の方向へ移動させることができると共に定盤の上面に沿った回転方向へも移動させることができ、原稿フィルムの定盤上への位置決めを容易にかつ正確に行うことができる。
【００１７】
請求項４に記載の発明は、請求項３に記載の発明であって、前記原稿移動手段が、前記移動定盤を互いに直交する方向の一方向に沿って移動する第１の移動手段と、前記第１の移動手段の移動方向に沿った異なる２点でそれぞれ第１の移動方向と直交する方向に沿って前記移動定盤を移動する第２及び第３の移動手段と、備え、前記制御手段が前記第１の検出手段の検出結果に基づいて前記原稿フィルムを移動するときに、前記第１の移動手段の移動方向に沿った異なる２点を中心に原稿フィルムが順に異なる方向へ回動するように前記第２及び第３の移動手段を制御することを特徴とする。
【００１８】
この発明によれば、第２及び第３の移動手段の相対移動によって移動定盤と共に原稿フィルムを回動させるときに、回動中心を換えている。回転中心を同じにして左右に回転させた場合、同一位置で左右に順に回動することになり、いつまでたっても凡その位置調整ができない。
【００１９】
これに対して、第１の検出手段の検出結果に基づいて回動させるときに、右回転時と左回転時で回転中心が変わることにより、その都度、移動位置が変わるために、短時間に迅速に所定の位置へ収束するように移動させることができる。これによって、凡その位置決めを簡単にかつ迅速に行うことができる。
【００２０】
【発明の実施の形態】
図１は、発明の実施の一形態として適用した版材焼付装置１０を示している。また、図２には、版材焼付装置１０の概略構成を示している。図１に示されるように、版材焼付装置１０は、枠組みされた箱型フレームに外板パネル１２が貼付けられて構成されている。この版材焼付装置１０の前面側には、フィルム装填部２２が設けられている。このフィルム装填部２２は、引出し式のトレイ２４を備えており、原稿フィルム（以下「ネガフィルム１６」と言う）は、このトレイ２４に積層されて収容される。このトレイ２４を装置内部へ押し入れることにより、ネガフィルム１６の装填が完了する。
【００２１】
図３に示すように、ネガフィルム１６は、矩形上の透明支持体（以下「透明シート５０」と言う）の中央部に原稿画像が記録されている画像領域４０が形成されている。版材焼付装置１０では、このネガフィルム１６の画像領域４０に記録されている原稿画像を感光性平版印刷版（以下「ＰＳ版１８」と言う）に焼付ける。
【００２２】
このネガフィルム１６には、画像領域４０の周囲に黒化領域４４が形成されている。この黒化領域４４は、ＰＳ版１８に原稿画像を焼付けたときに、原稿画像の周囲を未露光状態とし、このＰＳ版１８を用いて原稿画像を印刷したときに、原稿画像の周囲にインクが付着していない余白部分を形成する。
【００２３】
この黒化領域４４には、所定の位置に指標（画像位置表示マーク）となるトンボ４２Ａ、４２Ｂ、４２Ｃが形成されている。トンボ４２Ａは、ネガフィルム１６の画像領域４０に記録されている原稿画像の天地方向（上下方向）の地側に天地方向に沿って透明のラインを形成している。また、トンボ４２Ｂは、原稿画像の天側に天地方向に沿って透明のラインを形成している。また、トンボ４２Ｃは、原稿画像の天側で幅方向（天地方向と直交する方向）の端部に幅方向に沿って透明のラインを形成している。
【００２４】
ネガフィルム１６では、これらのトンボ４２Ａ〜４２Ｃの位置から画像領域４０の中心位置が正確に示されている。すなわち、トンボ４２Ａ〜４２Ｃは、画像領域４０の中心位置からフィルム１６の幅方向（天地方向と直交する方向）に沿った一定の位置の天側及び地側にそれぞれ形成されており（例えばトンボ４２Ａ、４２Ｂを結ぶ線が画像領域４０の中心位置を通過するように形成されている）、また、トンボ４２Ｃは、画像領域４０の中心位置から天地方向の天側に沿って一定の位置に形成されている。これによって、トンボ４２Ａ〜４２Ｃの位置を正確に検出することにより、ネガフィルム１６に記録されている原稿画像の中心位置及び原稿画像の天地方向を正確に求めることができるようにしている。
【００２５】
一方、このネガフィルム１６は、黒化領域４４が一定の幅で形成されており、この黒化領域４４の透明シート５０の周縁側には、透明な余白部分が形成されている（以下「透明領域４６」と言う）。このため、黒化領域４４と透明領域４６との境界が判れば、ネガフィルム１６上の画像領域４０の大体の位置を知ることが可能となっている。
【００２６】
以下に説明する版材焼付装置１０では、このネガフィルム１６の幅方向の一端部に天地方向に沿って複数のパンチ孔（図３では、３個のパンチ孔４８Ｂ、４８Ａ、４８Ｂ）を、ネガフィルム１６の画像領域４０に対して一定の位置に穿設する。版材焼付装置１０では、ネガフィルム１６の画像領域４０に記録されている原稿画像をＰＳ版１８に焼付けるときに、これらのパンチ孔４８Ａ、４８Ｂを用いてＰＳ版１８に対してネガフィルム１６の画像領域４０を位置決めする。なお、本実施の形態では、一例としてこのネガフィルム１６の前面から見て右方向で、画像領域の天地方向の中心位置に一つの丸孔のパンチ孔４８Ａを穿設し、このパンチ孔４８Ａを挟んで天地方向に沿った両側にそれぞれ長孔のパンチ孔４８Ｂを穿設している。
【００２７】
このように形成したネガフィルム１６のパンチ孔４８Ａ、４８Ｂは、トンボ４２Ａ〜４２Ｃの位置を読み取ってネガフィルム１６を移動させ、トンボ４２Ａ〜４２Ｃとパンチ孔４８Ａ、４８Ｂとが所定の位置関係となるように正確にパンチされる。
【００２８】
図１及び図２に示すように、版材焼付装置１０内には、フィルム装填部２２に隣接してパンチ孔穿設部２００が設けられており、トレイ２４内のネガフィルム１６は、最上層から順に１枚づつ位置決め用のパンチ孔４８Ａ、４８Ｂを穿設するパンチ孔穿設部２００へ送られる。パンチ孔４８Ａ、４８Ｂが穿設されたネガフィルム１６は、待機部２６を経て焼付部８００の焼付定盤８１２上へ搬送される。
【００２９】
一方、版材焼付装置１０の焼付部８００には、ＰＳ版１８が配置されるようになっている。このＰＳ版１８は、版材焼付装置１０の前面側下部に設けられているＰＳ版装填部４００内に、例えば多数枚が図示しない載置台に積層された状態で装填される。版材焼付装置１０では、このＰＳ版装填部４００に装填されているＰＳ版１８を最上層から１枚づつ取り出して焼付部８００へ送り込む。
【００３０】
焼付部８００へ送り込まれたＰＳ版１８は、焼付定盤８１２上に載置されて位置決めされる。また、前記したネガフィルム１６は、このＰＳ版１８上に載置されて位置決めされる。このとき、ネガフィルム１６は、パンチ孔穿設部２００で穿設されたパンチ孔４８Ａ、４８Ｂのそれぞれに、焼付定盤８１２に隣接して設けられている位置決めピンが挿入されて、焼付定盤８１２に対して位置決めされる。このとき、ＰＳ版１８が焼付定盤８１２に対して位置決めされているため、ネガフィルム１６がＰＳ版１８に対して正確に位置決めされることになる。
【００３１】
一方、図２に示すように、焼付定盤８１２の上方には、昇降可能な光源ユニット８０２が配設されている。なお、図２は、版材焼付装置１０内でのネガフィルム１６とＰＳ版１８の搬送経路を矢印によって示している。
【００３２】
この光源ユニット８０２は光源８０４からの光を遮光する光源フード８０６が設けられ、光源ユニット８０２を下降させて、この光源フード８０６の下端部開口が焼付定盤８１２の周縁と接触させた状態でネガフィルム１６へ光を照射する。これにより、ネガフィルム１６の画像がＰＳ版１８に焼付けられることになる。なお、画像を焼付けるときには、ネガフィルム１６をＰＳ版１８に密着させるための透明のカバーシートによってネガフィルム１６の上面を覆っている。
【００３３】
焼付処理が終了したネガフィルム１６は、装置前面からみて右方向、すなわち、待機部２６とは反対側に隣接された排出部２８へと搬送され、排出用トレイ３０に順に集積される。この排出用トレイ３０は、装置の前面側へ引出し可能となっており、排出用トレイ３０を引き出すことにより焼付けが終了したネガフィルム１６を取り出すことができる。
【００３４】
また、焼付定盤８１２の装置奥側には、画像の焼付けが終了したＰＳ版１８が焼付部８００から送り込まれるＰＳ版排出部６００が設けられている。このＰＳ版排出部６００は、画像が焼付処理されたＰＳ版１８をストックする。なお、この版材焼付装置１０に隣接して、現像装置を設けているときには、このＰＳ版排出部６００から１枚ずつ又は複数枚ずつ送り出すようにしてもよい。
【００３５】
図４に示されるように、フィルム装填部２２へ挿入された状態でのトレイ２４の上方には、吸盤支持ボード１０２が位置するようになっている。この吸盤支持ボード１０２は、図示しないエアーシリンダの駆動によってトレイ２４の上方と、パンチ孔穿設部２００の定盤２０２の上方の間を移動するようになっている。
【００３６】
また、吸盤支持ボード１０２には、合計８個の吸盤１０４が配設されており、これらの吸盤１０４によってネガフィルム１６を吸着可能となっている。また、吸盤支持ボード１０２の上方側には、エアーシリンダ１１４と、一対のガイドロッド１２０のそれぞれの先端が連結されており、エアーシリンダ１１４の駆動によって上下に移動するようになっている。
【００３７】
トレイ２４上のネガフィルム１６は、吸盤１０４に負圧が供給されながらエアーシリンダ１１４の駆動によって吸盤支持ボード１０２が下降すると、この吸盤１０４に吸着される。この状態で、吸盤支持ボード１０２を上昇させることにより、最上層のネガフィルム１６をトレイ２４から取り出す。トレイ２４から取り出されたネガフィルム１６は、吸盤支持ボード１０２のパンチ孔穿設部２００側への移動によって。パンチ孔穿設部２００へ搬送される。
【００３８】
図４乃至図１１は、本発明を適用したパンチ孔穿設部２００を示している。以下、図面を参照しながら、パンチ孔穿設部２００について詳細に説明する。
【００３９】
図４に示される如く、位置決め用の定盤２０２は、移動定盤２０４と固定定盤２０６とに分割されて構成されており、トレイ２４に隣接（装置前面から見て左側）して設けられている。
【００４０】
図５に示される如く、移動定盤２０４には、周縁部及び対角線に沿って溝２０４Ａが形成され、この溝２０４Ａの底部の一部が下面と連通されており、ここからネガフィルム１６を載置した状態で負圧が供給されることにより、ネガフィルム１６が吸着されて保持される。
【００４１】
一方、固定定盤２０６には、前記移動定盤２０４回りに溝２０６Ａが形成されている。この溝２０６Ａの装置手間側には、略コ字型の溝２０６Ｂが形成され、これらの溝２０６Ａ、２０６Ｂは互いに連続されている。この溝２０６Ａ、２０６Ｂの底部の一部は下面と連通されており、ここからネガフィルム１６を載置した状態で負圧が供給されることにより、ネガフィルム１６を吸着して保持できる。
【００４２】
吸盤支持ボード１０２によって定盤２０２上に移動されたネガフィルム１６は、前記シリンダ１１６の駆動によって若干量下降され、吸着が解除されるようになっている。これによって、ネガフィルム１６は定盤２０２上に落下して載置される。このとき、ネガフィルム１６は、固定定盤２０６と移動定盤２０４とに跨がって支持されることになる。
【００４３】
ここで、吸盤支持ボード１０２から離脱されたばかりのネガフィルム１６は、移動定盤２０４側のみに吸着保持され、位置調整が行われる。
【００４４】
図６から図８に示される如く、移動定盤２０４は、幅方向（短辺方向）中央部に設けられた一対の支持ブロック２１４によって支持されている。支持ブロック２１４は、図７及び図８に示される如く、移動定盤２０４を幅方向（以下Ｘ方向という）に移動させるＸ方向移動機構部２１６の一部を構成している。
【００４５】
支持ブロック２１４は、円柱状で軸方向中間部に大径鍔部２１４Ａが形成されている。この大径鍔部２１４Ａよりも移動定盤２０４側に突出された小径軸部２１４Ｂは、移動定盤２０４に形成された円孔２０４Ｂへ嵌入されている。また、移動定盤２０４には、ボルト２１８を介して大径鍔部２１４Ａが円孔２０４Ｂの回りに固着されている。支持ブロック２１４の大径鍔部２１４Ａよりも下側の軸部２１４Ｃは、第１の移動ベース２２０に軸支されている。
【００４６】
この第１の移動ベース２２０は、サブベース２２２に移動定盤２０４の矢印Ｘ方向に沿って設けられた一対のレール２２４を介して支持されており、これにより、第１の移動ベース２２０は、レール２２４に沿って移動可能とされている。
【００４７】
サブベース２２２には、パルスモータ２２６が取付けられている。図７に示される如く、パルスモータ２２６の回転軸２２６Ａは、レール２２４と平行、すなわち移動定盤２０４のＸ方向とされている。この回転軸２２６Ａには、同軸的に雄ねじが形成されたシャフト２２８が固着されている。このシャフト２２８の雄ねじには、前記第１の移動ベース２２０の下面に固着された移動ブロック２２０Ａの雌ねじが螺合されている。
【００４８】
このため、パルスモータ２２６の駆動によってシャフト２２８が回転されると、ボールネジの機構によって、第１の移動ベース２２０がシャフト２２８の軸線方向へレール２２４に案内されて移動することになる。シャフト２２８の先端部には、原位置検出用のロータリーエンコーダ２３０が取付けられている。パルスモータ２２６は、原位置から正確に駆動して移動ブロック２２０Ａを移動させる。なお、原位置の検出は、これに限らずフォトマイクロセンサ等の光学的スイッチやリミットスイッチ等の機械的スイッチによって検出するものであってもよい。
【００４９】
ここで、一対のＸ方向移動機構部２１６の一方の支持ブロック２１４は、第１の移動ベース２２０に対して、回転及び軸直角方向移動可能とされており、他方の支持ブロック２１４は、第１の移動ベース２２０に対して回転移動可能とされている。
【００５０】
このため、他方のＸ方向移動機構部２１６のみを移動させることにより、移動定盤２０４を一方のＸ方向移動機構部２１６を中心に回転させることができる（図５に示されるθ方向移動）。この場合、一対の支持ブロック２１４間のピッチ寸法の変化を一方のＸ方向移動機構部２１６の支持ブロック２１４の軸直角方向移動によって吸収している。
【００５１】
図６に示される如く、一対のＸ方向移動機構部２１６は、共に第２の移動ベース２３２に支持されている。この第２の移動ベース２３２は、メインベース２３４に設けられた一対のレール２３６（図７参照）によって支持されている。レール２３６は、移動定盤２０４の長手方向（以下Ｙ方向という）に沿って互いに平行に配設されている。
【００５２】
これにより、第２の移動ベース２３２は、メインベース２３４に対してＹ方向へ移動可能となる。この第２の移動ベース２３２及びメインベース２３４は、Ｙ方向移動機構部２３８の一部を構成している。
【００５３】
メインベース２３４には、パルスモータ２４０が取付けられている。このパルスモータ２４０の回転軸２４０Ａは、レール２３６と平行、すなわち移動定盤２０４のＹ方向と平行とされている。回転軸２４０Ａには、同軸的に雄ねじが形成されたシャフト２４２が固着されている。このシャフト２４２の雄ねじには、前記第２の移動ベース２３２の下面に固着された移動ブロック２３２Ａの雌ねじが螺合されている。
【００５４】
このため、パルスモータ２４０の駆動によってシャフト２４２が回転されると、ボールネジの機構によって、第２の移動ベース２３２がシャフト２４２の軸線方向へレール２３６に案内されて移動されることになる。シャフト２４２の先端部には、原位置検出用のロータリーエンコーダ２４４が取付けられており、このロータリーエンコーダ２４４によって検出した原位置から移動ブロック２３２Ａの移動を開始するようになっている。
【００５５】
このように、移動定盤２０４は、Ｘ方向、Ｙ方向及びθ方向へ移動可能とされ、ネガフィルム１６の位置を調整することができる。この場合、ネガフィルム１６は、移動定盤２０４のみに吸着され、固定定盤２０６には、吸着されていない状態で位置調整が行われる。なお、ネガフィルム１６の位置は、ネガフィルム１６に記録されたトンボ４２Ａ〜４２Ｃの位置に基づいて調整されるが、詳細は後述する。
【００５６】
図４に示されるように、固定定盤２０６における前記コ字型の溝２０６Ｃよりもさらに装置手前側には、パンチ孔穿設用の雌刃２４８Ａを備えた雌刃ブロック２４８が嵌入されている。これらの雌刃２４８Ａは２種類あり、中央の雌刃ブロック２４８は楕円孔（短い小判形の孔）２４８Ｂが設けられ、両側部の雌刃ブロック２４８は長孔（長い小判形の孔）２４８Ｃが設けられている。
【００５７】
図９に示される如く、これらの雌刃ブロック２４８は各々パンチ孔穿設機構部２５０を構成するパンチャユニット２５１の一部を構成している。パンチャユニット２５１は、支柱２５２の上端に天板２５４が取付けられ、この天板２５４は、支柱２５２よりも装置奥側へ延設されている。この延設部上面にシリンダ２５６が取付けられている。このシリンダ２５６のロッド２５６Ａの軸線は、前記雌刃２４８Ａの軸線と一致されている。
【００５８】
ロッド２５６Ａの先端には、雄刃ブロック２５８が取付けられ、それぞれ前記２種の雌刃ブロック２４８と対応する刃型とされている。このため、シリンダ２５６の駆動によってロッド２５６Ａが伸長すると、雄刃（図示省略）と雌刃２４８Ａとが噛み合い、定盤２０２（固定定盤２０６）上に載置されているネガフィルム１６にパンチ孔４８Ａ、４８Ｂを穿設する。
【００５９】
なお、雄刃ブロック２５８の下方には、抑え板２５８Ａが設けられ、パンチ位置の周囲のネガフィルム１６を抑えている。
【００６０】
ガイドプレート２６２は、ネガフィルム１６が定盤２０２上に吸盤支持ボード１０２に搬送・載置されるまで、雌刃ブロック２４８を覆ってネガフィルム１６が雌刃ブロック２４８に引っ掛かるのを防止している。また、抑え板２５８Ａは、ネガフィルム１６の雌刃ブロック２４８に対向した周囲を抑えて、ネガフィルム１６の位置ズレを防止する。
【００６１】
ところで、図４、図５、図９に示されように、固定定盤２０６には、所定の位置に長孔２８０、２８２、２８４が設けられている。それぞれの長孔２８０〜２８４は、ネガフィルム１６の所定の端部をパンチャユニット２５１に対向させたときの、ネガフィルム１６に記録されているトンボ４２Ａ〜４２Ｃのそれぞれが対向するように形成されている。長孔２８０、２８２は、それぞれネガフィルム１６のトンボ４２Ａ、４２Ｂに対向してネガフィルム１６の幅方向に沿って長く形成されており、長孔２８４は、ネガフィルム１６のトンボ４２Ｃに対向してネガフィルム１６の天地方向に沿って長く形成されている。
【００６２】
固定定盤２０６の下方には、長孔２８０〜２８４のそれぞれに対向してトンボ測定ユニット２８６が設けられている。図１０に示されるように、トンボ測定ユニット２８６は、投光部と受光部が一体となっている反射形のレーザーセンサ２８８を備えている。また、トンボ測定ユニット２８６には、固定定盤２０６に取り付けられたエアーシリンダ２９０とリニアエンコーダ２９２を備えている。レーザーセンサ２８８は、このエアーシリンダ２９０の駆動によってそれぞれの長孔２８０〜２８４の長手方向に沿って移動するようになっており、このレーザーセンサ２８８の移動量がリニアエンコーダ２９２によって正確にカウント可能となっている。
【００６３】
図１２に示されるように、それぞれのトンボ測定ユニット２８６は、コントローラ３００に接続されている。なお、このコントローラ３００は、図示しないバルブを制御してエアーシリンダ２９０、パンチャユニット２５１、吸盤支持ボード１０２の駆動等を制御する。また。このコントローラ３００には、移動定盤２０４を移動させるためのパルスモータ２２６、２４０及び移動定盤２０４の原位置検出用のロータリーエンコーダ２３０、２４４が接続されている。
【００６４】
コントローラ３００は、予め移動定盤２０４を原位置に配置し、この移動定盤２０４上にネガフィルム１６が載置されると、エアーシリンダ２９０を駆動して各レーザーセンサ２８８によってネガフィルム１６を透過した光を測定し、それぞれの長孔２８０〜２８４に対向するネガフィルム１６のトンボ４２Ａ〜４２Ｃの位置を検出する。それぞれのトンボ４２Ａ〜４２Ｃの検出位置は、レーザーセンサ２８８の移動量をリニアエンコーダ２９２によって正確に計測し、各トンボ４２Ａ〜４２Ｃのそれぞれの基準位置に対するズレから算出する。また、コントローラ３００では、予め設定したそれぞれの基準位置からトンボ４２Ａ〜４２Ｃの検出位置までの移動距離に基づいてネガフィルム１６の定盤２０２上の位置及びネガフィルム１６の画像の天地方向の傾きを求め、ネガフィルム１６の画像領域４０が、定盤２０２上の所定の位置（基準位置）に一致するようにネガフィルム１６を定盤２０２上で移動させるための移動定盤２０４の移動量、すなわち、個々のパルスモータ２２６、２２６、２４０の駆動量を演算する。
【００６５】
コントローラ３００は、このように演算した移動量に基づいてパルスモータ２２６、２２６、２４０を駆動してネガフィルム１６を保持した移動定盤２０４をＸ−Ｙ−θ方向へ移動し、ネガフィルム１６の所定の位置をパンチャユニット２５１に対向させるようにしている（ネガフィルム１６の本位置決め）。
【００６６】
また、図４、図５及び図９に示されるように、固定定盤２０６には、複数の丸孔２９４が設けられている。丸孔２９４は、ネガフィルム１６の天地方向に沿って対で設けられ、また、ネガフィルム１６の幅方向に沿って２組設けられている（以下、区別するときには、丸孔２９４Ａ、２９４Ｂの対と２９４Ｃ、２９４Ｄの対とする）。
【００６７】
対で設けられている一方の丸孔２９４Ａ、２９４Ｃは、ネガフィルム１６をパンチャユニット２５１に対向する基準位置に配置したときに、ネガフィルム１６の黒化領域４４に対向するようになっており、他方の丸孔２９４Ｂ、２９４Ｄは、ネガフィルム１６の周縁の透明領域４６に対向するようになっている。
【００６８】
図１１に示されるように、それぞれの丸孔２９４内には、投光部と受光部を有する反射形の光電センサ２９６（以下、区別するときには、２９６Ａ、２９６Ｂ、２９６Ｃ、２９６Ｄとする）が設けられている。光電センサ２９６は、投光部からネガフィルム１６へ照射した光の反射量から、それぞれの丸孔２９４にネガフィルム１６の黒化領域４４と透明領域４６の何れが対向しているかを検出できる。すなわち、丸孔２９４にネガフィルム１６の黒化領域４４が対向しているときには、光の反射量が少ないので光電センサ２９６の受光部がＯＦＦ状態となり、丸孔２９４にネガフィルム１６の透明領域４６が対向しているときには、光電センサ２９６が発した光が透明領域４６を透過し、吸盤支持ボード１０２の下面に反射して光電センサ２９６に達するので、光電センサ２９６の受光部がＯＮ状態となる。
【００６９】
なお、吸盤支持ボード１０２には、定盤２０２の丸孔２９４に対向する位置に反射板１０３が取り付けられており、光電センサ２９６から発した光が透明領域４６を透過したときに、効率良く反射させるようにしている。
【００７０】
図１２に示されるように、それぞれの光電センサ２９６は、コントローラ３００に接続されている。コントローラ３００は、光電センサ２９６のＯＮ／ＯＦＦを読み込むことにより、それぞれの光電センサ２９６、すなわちそれぞれの丸孔２９４にネガフィルム１６の黒化領域４４と透明領域４６の何れが対向しているかを判断する。
【００７１】
コントローラ３００は、それぞれの丸孔２９４に黒化領域４４と透明領域４６の何れが対向しているかを判断すると、丸孔２９４Ａ、２９４Ｃにネガフィルム１６の黒化領域４４が対向し、丸孔２９４Ｂ、２９４Ｄにネガフィルム１６の透明領域４６が対向するように、パルスモータ２４０（必要に応じてパルスモータ２２６）を駆動して移動定盤２０４を矢印Ｙ方向及び矢印θ方向（回転方向）へ移動させる。これによって、コントローラ３００は、ネガフィルム１６の透明領域４６と黒化領域４４との境界を、対となっている丸孔２９４Ａと丸孔２９４Ｂの間及び丸孔２９４Ｃと丸孔２９４Ｄの間に位置させ、長孔２８０〜２８４のそれぞれにネガフィルム１６のトンボ４２Ａ〜４２Ｃが確実に対向した位置となるようにしている（ネガフィルム１６の仮位置決め）。
【００７２】
このネガフィルム１６の仮位置決めを行うために、図８に示すように移動定盤２０４と共にネガフィルム１６を矢印θ方向へ回転させるときに、Ｘ方向移動機構部２１６の一方のパルスモータ２２６のみを移動させ、次に他方のパルスモータ２２６を移動させる。例えば、最初に丸孔２９４側のパルスモータ２２６を駆動して回動させることにより、ネガフィルム１６は、回転中心が丸孔２９４と反対側の支持ブロック２１４の近傍となって回動する。次に、丸孔２９４と反対側のパルスモータ２２６を逆方向へ駆動することにより、ネガフィルム１６は、丸孔２９４側の支持ブロック２１４の近傍を中心に回動する。
【００７３】
これによって、ネガフィルム１６が同一位置で回転してしまうのを防止し、ネガフィルム１６の凡その位置調整を簡単にかつ迅速、確実に行うことができるようにしている。
【００７４】
これにより、例えば、定盤２０２上のネガフィルム１６の最初の位置が大きくずれていて、固定定盤２０６の長孔２８０〜２８４の何れか一つでもネガフィルム１６のトンボ４２Ａ〜４２Ｃが対向していないときでも、全ての長孔２８０〜２８４のそれぞれにトンボ４２Ａ〜４２Ｃが対向する位置へネガフィルム１６を移動できるようにしている。
【００７５】
すなわち、光電センサ２９６の検出結果に基づいて予めネガフィルム１６を定盤２０２上で移動させておけば、最初にネガフィルム１６が定盤２０２に載置されたときに、位置が大きくずれていても、トンボ測定ユニット２８６によってトンボ４２Ａ〜４２Ｃのそれぞれの位置検出が可能となり、このトンボ４２Ａ〜４２Ｃの検出位置に基づいて、ネガフィルム１６の一定の位置にパンチ孔４８Ａ、４８Ｂを穿設することができる。
【００７６】
コントローラ３００は、光電センサ２９６によって定盤２０２上へのネガフィルム１６の大凡の位置決めを行うと、トンボ測定ユニット２８６によって、ネガフィルム１６のトンボ４２Ａ〜４２Ｃの検出を行い、検出不能のトンボの有無にかかわらず、検出している他のトンボの位置に基づいてネガフィルム１６を移動させて全てのトンボ４２Ａ〜４２Ｃが長孔２８０〜２８４に対向するようにしている。例えば、ネガフィルム１６の天地方向に対応する長孔２８０、２８２に設けているトンボ測定ユニット２８６では、それぞれトンボ４２Ａ、４２Ｂを検出できたが、長孔２８４に設けているトンボ測定ユニット２８６がトンボ４２Ｃを検出できないとき（トンボ４２Ｃが短いため）には、トンボ４２Ａ、４２Ｂの位置を測定し、この測定結果に基づいてパルスモータ２４０を駆動して、移動定盤２０４と共にネガフィルム１６を矢印Ｘ方向へ移動させて、トンボ４２Ｃが長孔２８４に対向するようにしている。
【００７７】
なお、光電センサ２９６によるネガフィルム１６の黒化領域４４と透明領域４６の検出時には、吸盤支持ボード１０２を下降させているが、ネガフィルム１６のトンボ４２Ａ〜４２Ｃの位置の読取時にも、吸盤支持ボード１０２をシリンダ１１６の駆動により下降させて、吸盤支持ボード１０２の下面に設けている軟質シート１１０（図４及び図１０参照）によってネガフィルム１６を定盤２０２へ押さえ付けてネガフィルム１６の浮きによる誤検出を防止している。
また、ネガフィルム１６の位置決めが終了すると、固定定盤２０６の溝２０６Ａ、２０６Ｂによってネガフィルム１６を吸着すると共に前記吸盤支持ボード１０２をシリンダ１１６の駆動により下降させて、軟質シート１１０によってフィルム１６の全面を定盤２０２とによって挟持することにより、ネガフィルム１６を固定する。この固定状態で、ネガフィルム１６には、焼付定盤８１２上での位置決め用のパンチ孔４８Ａ、４８Ｂが穿設される構成である。トンボ４２Ａ〜４２Ｃは画像位置（画像領域４０）に対して厳密に位置が決められているので、パンチ孔４８Ａ、４８Ｂと画像位置とは常に一定となる。
【００７８】
なお、パンチ孔穿設部２００以外の各工程について、本出願人等は、特開平４−８２４０８号等の公報において詳細に開示しており、本実施の形態では詳細な説明を省略する。
【００７９】
次に本実施の形態の作用を図１３に示すフローチャートを参照しながら説明する。
【００８０】
このフローチャートは、吸盤支持ボード１０２によってトレイ２４からネガフィルム１６が取り出されて、このネガフィルム１６が定盤２０２上に載置されると実行される。なお、定盤２０２は、ロータリーエンコーダ２３０、２３０、２４４によって検出される原位置に予め移動定盤２０４を移動させておいてネガフィルム１６を載置する。
【００８１】
最初のステップ３５０では、吸盤支持ボード１０２の吸盤１０４による吸着が解除されたネガフィルム１６が定盤２０２上に載置されると、このネガフィルム１６を定盤２０２の内の移動定盤２０４によって吸着保持する。
【００８２】
ステップ３５２では、固定定盤２０６の丸孔２９４Ａ〜２９４Ｄのそれぞれに設けている光電センサ２６４Ａ〜２６４Ｄによってネガフィルム１６を検出する。このとき、図１４（Ａ）に示すように、丸孔２９４Ａ、２９４Ｃ内の光電センサ２９６Ａ、２９６Ｃがそれぞれネガフィルム１６の黒化領域４４を検出し、丸孔２９４Ｂ、２９４Ｄ内の光電センサ２９６Ｂ、２９６Ｃがそれぞれネガフィルム１６の透明領域４６を検出しているときには、ネガフィルム１６は、定盤２０２上の略正常な位置に配置されているとして、次のステップ３５４では、肯定判定する。
【００８３】
このステップ３５４で肯定判定したときには、定盤２０２上へのネガフィルム１６の正確な位置決めを行うために、先ず、ステップ３５６へ移行する。このステップ３５６では、固定定盤２０６でネガフィルム１６を吸着保持し、次に、このネガフィルム１６の天側の中央部に設けているトンボ４２Ｂを長孔２８０に設けているトンボ測定ユニット２８６のレーザセンサ２８８によって測定する（ステップ３５８）。この後、ステップ３６０では、トンボ測定ユニット２８６のレーザセンサ２８８によってトンボ４２Ｂが検出できたか否かから、トンボ４２Ｂが正常な位置に配置されているを確認する。
【００８４】
ここで、ネガフィルム１６のトンボ４２Ｂが固定定盤２０６の長孔２８０に対応した位置からずれている場合、レーザセンサ２８８によってトンボ４２Ｂが検出されないため、このステップ３６０で否定判定される。このときには、ステップ３６２へ移行して固定定盤２０６によるネガフィルム１６の吸着保持を解除して、移動定盤２０６でのみネガフィルム１６を吸着保持する。次にステップ３６４では、長孔２８０内のレーザセンサ２８８によってネガフィルム１６のトンボを確認しながら（検出しながら）移動定盤２０４をネガフィルム１６の幅方向（矢印Ｘ方向）へ移動させる。このとき、２つのパルスモータ２２６を同一方向へ同一の移動量で移動させる。これによって、ネガフィルム１６を天地方向へ移動させることなく、幅方向に沿って平行移動させることができる。
【００８５】
これによって、ネガフィルム１６のトンボ４２Ｂが長孔２８０に対応する正常な位置に配置する。この状態では、光電センサ２６４Ａ〜２６４Ｄでネガフィルム１６の天地方向（矢印Ｙ方向）の凡その位置があっていることを確認しており、これに加えて、ネガフィルム１６の幅方向の凡その位置もあっているので（ステップ３６０で肯定判定された場合も含む）、次のステップ３６６へ移行して、トンボ測定ユニット２８６によりネガフィルム１６のトンボ４２Ａ〜４２Ｃの読み取りを行って、ネガフィルム１６の定盤２０２に対する正確な位置決めを始める。
【００８６】
先ず、ステップ３６６では、移動定盤２０４及び固定定盤２０６によるネガフィルム１６の吸着保持を解除して、次のステップ３６８では、吸盤支持ボード１０２によってネガフィルム１６を吸着保持して上昇する。このようにして、移動定盤２０４からネガフィルム１６を離した後に、移動定盤２０４を原位置へ移動させる（ステップ３７０）。
【００８７】
この後、ステップ３７２では、吸盤支持ボード１０２を下降させて、定盤２０２（移動定盤２０４と固定定盤２０６）上にネガフィルム１６を載せ、吸盤支持ボード１０２によるネガフィルム１６の吸着保持を解除する。これと共に、ステップ３７４では、固定定盤２０６と移動定盤２０４とによってネガフィルム１６を吸着保持する。このとき、吸盤支持ボード１０２は、上昇せずにネガフィルム１６を定盤２０２上へ押さえ付けるようにしている。
【００８８】
次のステップ３７６では、トンボ測定ユニット２８６のエアーシリンダ２９０を駆動して、各長孔２８０、２８２、２８４のそれぞれに対向した位置にあるネガフィルム１６の全てのトンボ４２Ａ〜４２Ｃの読み取りを行う。このとき、トンボ測定ユニット２８６では、レーザーセンサ２８８をエアーシリンダ２９０によって移動させながら、ネガフィルム１６の裏面をスキャンして各トンボ４２Ａ〜４２Ｃのセンター位置を検索する。それぞれのトンボ４２Ａ〜４２Ｃの位置は、レーザーセンサ２８８の移動量をリニアエンコーダ２９２によって正確に測定し、この測定結果とレーザセンサ２８８の検出結果によって計測される。
【００８９】
ステップ３７８では、トンボ測定ユニット２８６によって検出した各トンボ４２Ａ〜４２Ｃの位置の基準位置からのズレから、基準位置に対するそれぞれのトンボ４２Ａ〜４２Ｃの位置を算出する。この算出結果から、定盤２０２上のネガフィルム１６の画像領域４０の基準位置に対するＸ方向、Ｙ方向及び回転方向（θ方向）のズレが明確となる。ステップ３８０では、この演算結果に基づいて、各トンボ４２Ａ〜４２Ｃが基準位置と一致させるようにネガフィルム１６を移動させるための各パルスモータ２２６、２２６、２４０の駆動量を演算する。また、ステップ３８２では、ネガフィルム１６を押さえている吸盤支持ボード１０２を上昇させて、定盤２０２上から退避させると共に、固定定盤２０６によるネガフィルム１６の吸着保持を解除する。これによってネガフィルム１６は、移動定盤２０４にのみ吸着保持された状態で、周縁部が固定定盤２０６上に載置されている。
【００９０】
次のステップ３８４では、演算結果に基づいて各パルスモータ２２６、２２６、２４０を駆動する。これによって、移動定盤２０４がネガフィルム１６を吸着した状態で、Ｘ−Ｙ−θ方向へ移動し、この移動定盤２０４の移動に伴ってネガフィルム１６が固定定盤２０６に対して相対移動し、画像領域４０が定盤２０２上の適切な位置となる。
【００９１】
このようにして、定盤２０２に対するネガフィルム１６の位置決めが終了すると、次のステップ３８６では、上方に退避している吸盤支持ボード１０２を下降させて、ネガフィルム１６を定盤２０２（固定定盤２０６及び移動定盤２０４）の間で挟持し、ネガフィルム１６の撓み等が生じないようにした後、固定定盤２０６と移動定盤２０４とによってネガフィルム１６を吸着保持する（ステップ３８８）。
【００９２】
この後、ステップ３９０では、パンチャユニット２５１によって、ネガフィルム１６の所定の位置にパンチ孔４８Ａ、４８Ｂをそれぞれ穿設する。このようにしてネガフィルム１６の位置決め及びパンチ孔の穿設が終了すると、吸盤支持ボード１０２を上方へ退避させた後、移動定盤２０４と固定定盤２０６と（定盤２０２）によるネガフィルム１６の吸着保持を解除し、定盤２０２上からネガフィルム１６が取り出されて次工程へ送られると、移動定盤２０４を原位置へ復帰（移動）させる（ステップ３９２）。
【００９３】
ところで、光電センサ２９６によるネガフィルム１６の検出結果が正常でないときには、定盤２０２上のネガフィルム１６の位置が大きくズレていることになり、これに伴って、トンボ４２Ａ〜４２Ｃの何れかが、長孔２８０〜２８４から外れて、トンボ測定ユニット２８６による位置検出が困難となっている可能性がある。
【００９４】
すなわち、図１４（Ｂ）〜（Ｄ）に示すように、各光電センサ２９６Ａ〜２９６Ｄが、通常の検出状態（図１４（Ａ）参照）にないときには、ステップ３５４で否定判定して、ステップ３９４へ移行する。
【００９５】
このステップ３９４では、各光電センサ２９６Ａ〜２９６Ｄの検出結果に基づいてネガフィルム１６を吸着保持している移動定盤２０４の移動方向を判定して、この判定結果に基づいてパルスモータ２４０又はパルスモータ２２６、２２６、２４０を移動させる。また、ステップ３９６では、各光電センサ２９６Ａ〜２９６Ｄによって、ネガフィルム１６を検出し、それぞれの光電センサ２９６Ａ〜２９６Ｄの検出結果が正常となったかを確認する（ステップ３９８）。
【００９６】
すなわち、全ての光電センサ２９６がネガフィルム１６の透明領域４６を検出しているとき（図示省略）には、パルスモータ２４０を駆動して、ネガフィルム１６を原稿画像の天側へ移動させ、全ての光電センサ２６９がネガフィルム１６の黒化領域４４を検出しているときには（図１４（Ｂ）参照）、逆にネガフィルム１６が原稿画像の位置側へ移動するようにパルスモータ２４０を駆動する。
【００９７】
また、光電センサ２９６Ａは黒化領域４４を検出しているが、光電センサ２９６Ｃが透明領域２６を検出していたり（図１４（Ｃ）参照）、逆に光電センサ２９６Ｂは透明領域４６を検出しているが、光電センサ２９６Ｄが黒化領域４４を検出しているときには（図１４（Ｄ）参照）、２つのパルスモータ２２６をそれぞれ逆駆動するか又は何れか一方を駆動して、ネガフィルム１６をθ方向に沿って回転させる。
【００９８】
この光電センサ２９６を用いたネガフィルム１６の具体的な仮位置決めの一例を図１５（Ａ）、図１５（Ｂ）及び図１６を参照しながら説明する。この仮位置決めでは、光電センサ２９６Ａ、２９６Ｃの少なくとも一方が黒化領域４４を検出するか、光電センサ２９６Ｂ、２９６Ｄの少なくとも一方が透明領域４６を検出するように、ネガフィルム１６を天地方向に沿って移動させてから行う。
【００９９】
このとき、光電センサ２９６の検出結果に基づいてネガフィルム１６を矢印θ方向へ回転するが、右回転（矢印θ１  方向）時には、主に地側のパルスモータ２２６を駆動させ（矢印Ｘ１  方向）て点ｐ１  を中心に回転させる（図１５（Ａ）参照）。また、左回転（矢印θ２  方向）時には、主に天側のパルスモータ２２６を駆動させ（矢印Ｘ２  方向）て点ｐ２  を中心に回転させる（図１５（Ｂ）参照）。
【０１００】
すなわち、図１５（Ａ）に示されるように、光電センサ２９６Ａが透明領域４６を検出しているか、光電センサ２９６Ｄが黒化領域４４を検出しているときには、ネガフィルム１６を右回転（矢印θ１  方向）させる必要があり、このときには、天側の点ｐ１  を中心にネガフィルム１６を回転させる。また、図１５（Ｂ）に示されるように、光電センサ２９６Ｂが黒化領域４４を検出しているか、光電センサ２９６Ｃが透明領域４６を検出しているときには、地側の点ｐ２  を中心にネガフィルム１６を回転させる（矢印θ２  方向）。なお、上記の回転時の何れにおいても光電センサ２９６Ａ〜２９６Ｄによって透明領域４６または黒化領域４４の検出を行いながら実行して、検出状態が切り替わったら回転方向を変化させる。
【０１０１】
図１６に示されるように、回転方向に応じてネガフィルム１６（移動定盤２０４）上の回転中心を変化させながらネガフィルム１６を回転させれば、回転中心が点Ｐ１  、Ｐ２  、Ｐ３  、Ｐ４  ・・・と順に矢印Ｙ方向及び矢印Ｘ方向（主に矢印Ｘ方向）に移動し、ネガフィルム１６は、同一位置で回転することがない。このため、センサ２９６Ｂ、２９６Ｄが透明領域４６を検出し、センサ２９６Ａ、２９６Ｃが黒化領域４４を検出する凡その位置決め位置へ、ネガフィルム１６を迅速にかつ確実に移動させることができる。
【０１０２】
すなわち、回転中心が略同一の位置であると、ネガフィルム１６は略同一位置でしか回転しないため、ネガフィルム１６の仮位置決めができなくなってしまう。これに対して、回転方向に応じて、回転中心Ｐを変化させることにより、短時間にかつ容易にネガフィルム１６の位置調整を行うことができる。なお、図１６では、ネガフィルム１６の最初の位置を実線で示し、点Ｐ１  、Ｐ２  、Ｐ３  と順に回転したネガフィルム１６をそれぞれ一点鎖線、二点鎖線、三点鎖線で示している。
【０１０３】
なお、回転方向と回転中心は、これに限るものではなく、例えば右回転時に地側の点ｐ２  を中心に回転させるようにしても良い。また、２つのパルスモータ２２６の一方を用いて回転するのではなく、双方のパルスモータ２２６を相対的に駆動するようにしても良く、これによってネガフィルム１６の回転中心を任意に設定することができる。
【０１０４】
このようにして、ネガフィルム１６を吸着保持している移動定盤２０４をＸ−Ｙ−θ方向へ移動させて、光電センサ２９６Ａ〜２９６Ｄがそれぞれ所定の検出状態となると、ネガフィルム１６の各トンボ４２Ａ〜４２Ｃがそれぞれ長孔２８０〜２８４に対向し、ネガフィルム１６が定盤２０２上の所定の位置に配置されたことになる（図１４（Ａ）参照；ステップ３９８で確認、肯定判定）。
【０１０５】
なお、光電センサ２９６Ａ〜２９６Ｄのそれぞれが、所定の検出状態となった後、トンボ測定ユニット２８６によって、長孔２８０〜２８４のそれぞれにトンボ４２Ａ〜４２Ｃが対向しているかを確認し、トンボ測定ユニット２８６で検出できないトンボがあったときには、検出している他のトンボの位置に基づいてネガフィルム１６を移動させ、全てのトンボ４２Ａ〜４２Ｃをそれぞれ長孔２８０〜２８４へ対向させれば良い。
【０１０６】
すなわち、光電センサ２９６Ａ、２９６Ｃ及び光電センサ２９６Ｂ、２９６Ｄによってネガフィルム１６の黒化領域４４及び透明領域４６をそれぞれ検出できるようにすることにより、少なくともネガフィルム１６の天地方向（矢印Ｙ方向）及び回転方向（矢印θ方向）に沿っては、大凡の位置合わせができる。このため、ネガフィルム１６の幅方向（矢印Ｘ方向）の位置がズレ、かつ、トンボ４２Ｃが短いために、トンボ４２Ｃが検出不能であっても、トンボ４２Ａ、４２Ｂは検出可能な状態にすることはできる。このため、ネガフィルム１６の天地方向に沿った一方、例えば天側のトンボ４２Ｂの位置をトンボ測定ユニット２８６によってスキャンして読み取れば、ネガフィルム１６の矢印Ｘ方向に沿ったズレを測定することができ、この測定結果に応じてパルスモータ２４０を駆動すれば、矢印Ｘ方向に沿ったネガフィルム１６の大凡の位置調整ができ、トンボ４２Ｃもトンボ測定ユニット２８６の測定領域内、すなわち、長孔２８４に対向した位置に配置される。
【０１０７】
このようにして、ネガフィルム１６のＸ−Ｙ−θ方向（主にＹ−θ方向）のそれぞれに沿った大凡の位置調整が終了すると、ステップ３５６へ移行して、トンボ４２Ｂの位置合わせを行う。
【０１０８】
このように、パンチ孔穿設部２００では、定盤２０２上に載置したネガフィルム１６の所定の領域に設けられている黒化領域４４と透明領域４６との境界を光電センサ２９６によって検出して、ネガフィルム１６の画像領域４０が定盤２０２に対して大きくずれていないか否かを確認することにより、このネガフィルム１６のトンボ４２Ａ〜４２Ｃによるネガフィルム１６の正確な位置調整が極めて容易となる。
【０１０９】
また、定盤２０２に対するネガフィルム１６の大まかな位置調整を予め行うことにより、ネガフィルム１６に記録されているトンボ４２Ａ〜４２Ｃが長くなくても、確実にトンボ４２Ａ〜４２Ｃの位置をトンボ測定ユニット２８６によって検出が可能であると共に、トンボ測定ユニット２８６の測定領域が狭くても、ネガフィルム１６の正確な位置調整による、ネガフィルム１６の画像領域４０の定盤２０２への位置決め、すなわち、画像領域４０に対する一定の位置をパンチャユニット２５１へ位置決めすることができる。
【０１１０】
なお、本実施の形態では、移動定盤２０４の原位置を一つとして、この原位置から移動定盤２０４を移動させてネガフィルム１６の大凡の位置調整及び位置決めをそれぞれ行うように説明したが、これに限るものではない。
【０１１１】
例えば、移動定盤２０４をＸ方向及びＹ方向のそれぞれの一方の端部まで移動させた位置をロータリーエンコーダ２３０、２４４によって検出する原位置（例えば機械的原位置とする）として、この機械的原位置から移動定盤２０４を固定定盤２０６に対する中心位置まで移動し、この位置を仮原位置として、この位置でネガフィルム１６を受け取って大凡の位置調整をする。このように仮原位置を設定することにより、移動定盤２０４をＸ方向、Ｙ方向及びθ方向のそれぞれへ最大限に移動させることができる。
【０１１２】
さらに、ネガフィルム１６の大凡の位置調整が終了したときには、移動定盤２０４を機械的原位置へ戻した後、この機械的原位置から機械的原位置と仮原位置の間の一定の位置まで移動し、この位置を本原位置として、ネガフィルム１６のトンボ４２Ａ〜４２Ｃに基づいてネガフィルム１６を定盤２０２に位置決めする。このようにすれば、ボールネジを用いたＸ方向移動機構部２１６及びＹ方向移動機構部２３８の機械的誤差（例えばボールネジのバックラッシュ等）が生じることなく、移動定盤２０４を所望の方向へ正確に移動させることができ、より正確なネガフィルム１６の位置決めが可能となる。
【０１１３】
すなわち、移動定盤２０４をＸ方向及びＹ方向に沿った一端まで移動して、この位置から所定量だけ移動定盤２０４を移動させた位置を移動定盤２０４の原位置とすれば、バックラッシュ等の機械的誤差によって移動定盤２０４の原位置及び原位置からの移動定盤２０４の移動量に誤差が生じるのを防止でき、より正確なネガフィルム１６の位置決めが可能となる。
【０１１４】
なお、本実施の形態は、一例を示すものであり、本発明の構成を限定するものではない。例えば、本実施の形態では、４個の光電センサ２９６Ａ〜２９６Ｄによってネガフィルム１６の黒化領域４４と透明領域４６を検出して、黒化領域４４と透明領域４６の境界の位置決めを行ったが、これに限るものではない。
【０１１５】
例えば、図１７（Ａ）に示されるように、黒化領域４４と透明領域４６の一方をネガフィルム１６の幅方向の中央部に対向する１個の光電センサ２９６によって検出し、黒化領域４４と透明領域４６の他方をネガフィルム１６の幅方向に沿った両端部のそれぞれに設けた光電センサ２９６によって検出するようにしてもよい。
【０１１６】
また、ネガフィルム１６としては、天地方向の天側でなく、地側又は天側と地側の両方に透明部分が形成されているものであってもよい。このとき、地側の黒化領域４４と透明領域４６との境界からネガフィルム１６の大凡の位置合わせを行うことができる。
【０１１７】
図１７（Ｂ）に示されるように、天地の一方（例えば天側）と幅方向の一方に透明領域４６が形成されているときには、天側の黒化領域４４と透明領域４６の境界を検出する一対の光電センサ２９６と、幅方向の黒化領域４４と透明領域４６の境界を検出するための二対（４個）の光電センサ２９６を用いるようにしてもよい。
【０１１８】
このように構成することにより、６個の光電センサ２９６によって、定盤２０２上へのネガフィルム１６の天地方向（矢印Ｙ方向）の位置合わせと共にネガフィルム１６の天地方向と直交する方向（矢印Ｘ方向）の位置合わせも同時に行うことができる。このため、ネガフィルム１６を定盤２０２上へ大凡の位置決めを行うときに、各トンボ４２Ａ〜４２Ｃがそれぞれ長孔２８０〜２８４に対向しているかの確認が不要となり、ネガフィルム１６の定盤２０２上への位置決め作業を簡略化することができる。
【０１１９】
なお、本実施の形態では、第１の検出手段としてトンボ測定ユニット２８６を用い、第２の検出手段として光電センサ２９６を用いたが、それぞれの検出方法、数及び配置は、以上の説明に限定されるものではなく、それぞれネガフィルム１６に設定した所定の領域を正確に検出できる構成であればよい。
【０１２０】
また、本実施の形態では、原稿画像が記録されたネガフィルム１６の定盤２０２に対する位置決めを説明したが、これに限るものではない。本発明は、原稿フィルムの画像に対して一定の位置に記録されている画像位置基準となる指標を用いて、原稿フィルムを位置決めするための種々の装置、工程に適用が可能となる。
【０１２１】
【発明の効果】
以上説明した如く、本発明では、原稿フィルムに画像領域の周囲に所定幅で黒化領域が形成され、かつこの黒化領域に隣接して透明領域が形成されているときに、予め黒化領域と透明領域の境界を検出して原稿フィルムの大凡の位置調整を行うため、指標の検出を容易にかつ正確に行うことができる。
【０１２２】
また、本発明では、予め第１の検出手段によって原稿フィルムの黒化領域と透明領域の境界を検出して、この境界が定盤上の所定の範囲に位置するようにしてから、第２の検出手段によって原稿フィルムの指標を検出して、原稿フィルムの正確な位置調整を行うため、指標を大きくしたり、第２の検出手段の検出領域を広げことなく、原稿フィルムの定盤上への位置決めを確実に行うことができる優れた効果を有する。
【０１２３】
これに加えて、本発明では、原稿フィルムの位置決めを迅速にかつ確実に行うことができる。
【図面の簡単な説明】
【図１】本実施の形態に適用した版材焼付装置の外観を示す斜視図である。
【図２】版材焼付装置内のネガフィルムとＰＳ版の移動を示す機能ブロック図である。
【図３】本実施の形態に適用したネガフィルムの概略を示す平面図である。
【図４】パンチ孔穿設部の定盤近傍を示す概略斜視図である。
【図５】定盤の概略平面図である。
【図６】移動定盤の下部を示す概略立面図である。
【図７】図６とは異なる方向から見た移動定盤の下部を示す概略立面図である。
【図８】移動定盤を示す概略斜視図である。
【図９】定盤を示す図４と異なる方向から見た概略斜視図である。
【図１０】トンボ測定ユニットを示す固定定盤の長孔に沿った要部断面図である。
【図１１】光電センサを示す固定定盤の要部断面図である。
【図１２】パンチ孔穿設部のコントローラを示す概略ブロック図である。
【図１３】パンチ孔穿設部の作動の一例を示すフローチャートである。
【図１４】（Ａ）から（Ｄ）はそれぞれ光電センサとネガフィルムとの位置関係の例を示す概略図である。
【図１５】（Ａ）は右回転時の回転中心を示すネガフィルムの概略平面図、（Ｂ）は左回転時の回転中心を示すネガフィルムの概略平面図である。
【図１６】
ネガフィルムを左右に順位回転したときのネガフィルムと回転中心の移動を示すネガフィルムの概略平面図である。
【図１７】
（Ａ）は光電センサの配置の本実施の形態とは異なる一例を示すネガフィルムの平面図、（Ｂ）はネガフィルムの幅方向に透明領域が形成されているときの光電センサの配置例を示すネガフィルムの平面図である。
【符号の説明】
１０    版材焼付装置
１６    ネガフィルム（原稿フィルム）
１８    ＰＳ版
４０    画像領域
４２Ａ〜４２Ｃ    トンボ（指標）
４４    黒化領域
４６    透明領域
４８Ａ、４８Ｂ    パンチ孔
２００    パンチ孔穿設部
２０２    定盤
２０４    移動定盤
２０６    固定定盤
２１６    Ｘ方向移動機構部
２２６    パルスモータ（第２の移動手段、第３の移動手段）
２３８    Ｙ方向移動機構部
２４０    パルスモータ（第１の移動手段）
２８６    トンボ測定ユニット（第２の検出手段）
２９６    光電センサ（第２の検出手段）
３００    コントローラ
【図１】
0003571466.tif 000002
【図２】
0003571466.tif 000003
【図３】
0003571466.tif 000004
【図４】
0003571466.tif 000005
【図５】
0003571466.tif 000006
【図６】
0003571466.tif 000007
【図７】
0003571466.tif 000008
【図８】
0003571466.tif 000009
【図９】
0003571466.tif 000010
【図１０】
0003571466.tif 000011
【図１１】
0003571466.tif 000012
【図１２】
0003571466.tif 000013
【図１３】
0003571466.tif 000014
【図１４】
0003571466.tif 000015
【図１５】
0003571466.tif 000016
【図１６】
0003571466.tif 000017
【図１７】
0003571466.tif 000018